(57)【要約】【課題】階層構造を有するメニュー項目において、深い階層に設けられたメニュー項目を容易に実行させることができる車載用情報端末、情報端末の操作方法およびそのメニュー項目の検索方法を提供する。【解決手段】名詞エリア２２に表示されているボタン２２ａ〜２２ｄの中から「交通情報」ボタン２２ｄを選択して押圧する。次に、助詞エリア２３に表示されているボタン２３ａ〜２３ｃの中から「を」ボタン２３ｂを選択して押圧する。最後に、助詞エリア２４に表示されている「見る」ボタン２４ｄを押圧する。そして、ナビゲーション装置１に実行させたい機能に関する文章を完成させると、完成させた文章に関する候補項目３１ａ〜３１ｅが検索結果表示画面３０に表示される。候補項目３１ａ〜３１ｅを押圧することによって、所望のメニュー項目の機能を動作させることができる。【選択図】図３
2008046758.tif 000002
【特許請求の範囲】
【請求項１】
階層構造を有するメニュー項目を選択することによって機能を動作させることができる車載用情報端末において、
表示モニタに複数の名詞と、複数の助詞または助詞を含む言葉と、複数の動詞とを表示する語句表示制御手段と、
前記複数の名詞の中のいずれか一つの名詞を選択し、前記複数の助詞または助詞を含む言葉の中のいずれか一つの助詞または助詞を含む言葉を選択し、前記複数の動詞の中のいずれか一つの動詞を選択する語句選択手段と、
前記語句選択手段によって選択された名詞と、助詞または助詞を含む言葉と、動詞とに基づいてメニュー項目を検索する検索手段と、
前記検索手段によって検索されたメニュー項目を前記表示モニタに表示する検索結果表示制御手段と、
前記検索結果表示制御手段によって表示されたメニュー項目の中から選択されたメニュー項目に定義された処理を実行するメニュー項目処理制御手段とを備えることを特徴とする車載用情報端末。
【請求項２】
請求項１に記載の車載用情報端末において、
語句表示制御手段は、前記複数の名詞と、前記複数の助詞または助詞を含む言葉と、前記複数の動詞とを同時に表示することを特徴とする車載用情報端末。
【請求項３】
請求項１または２に記載の車載用情報端末において、
前記語句表示制御手段は、前記語句選択手段によって名詞が選択されると、前記選択された名詞とともに選択可能な助詞または助詞を含む言葉、および動詞と、前記選択された名詞とともに選択できない助詞または助詞を含む言葉、および動詞とを表示態様を変えて表示し、前記語句選択手段によって助詞または助詞を含む言葉が選択されると、前記選択された助詞または助詞を含む言葉とともに選択可能な名詞および動詞と、前記選択された助詞または助詞を含む言葉とともに選択できない名詞および動詞とを表示態様を変えて表示し、前記語句選択手段によって動詞が選択されると、前記選択された動詞とともに選択可能な名詞、および助詞または助詞を含む言葉と、前記選択された動詞とともに選択できない名詞、および助詞または助詞を含む言葉とを表示態様を変えて表示することを特徴とする車載用情報端末。
【請求項４】
請求項１乃至３のいずれか１項に記載の車載用情報端末において、
前記複数の名詞は、「行き先」、「ルート」、「地図」および「交通情報」を含み、前記複数の助詞または助詞を含む言葉は、「の案内方法を」、「を」および「の表示方法を」を含み、前記複数の動詞は、「探す」、「登録する」、「変える」、「見る」、「消す」および「加える」を含むことを特徴とする車載用情報端末。
【請求項５】
請求項１乃至３のいずれか１項に記載の車載用情報端末において、
前記複数の名詞は、「行き先」、「ルート」、「地図」および「交通情報」を含み、前記複数の助詞または助詞を含む言葉は、「を」、「に」、「で」、「の案内方法を」および「の表示方法を」を含み、前記複数の動詞は、「探す」、「登録する」、「変える」、「戻す」、「見る」、「消す」、「加える」および「戻る」を含むことを特徴とする車載用情報端末。
【請求項６】
名詞、助詞および動詞で構成される文章に応じた命令文により所定の動作を実行させるようにした情報端末の操作方法において、
前記名詞を入力する名詞エリア、前記助詞を入力する助詞エリア、および前記動詞を入力する動詞エリアを一画面に表示し、
各エリアには、複数の候補語をそれぞれ表示し、
前記各エリアの複数の候補語の中からそれぞれ一つの候補を選択して構成された文書を判別し、
判別した文章に応じて所定の動作を実行することを特徴とする情報端末の操作方法。
【請求項７】
複数の名詞と、複数の助詞または助詞を含む言葉と、複数の動詞とを表示し、
前記複数の名詞の中のいずれか一つの名詞を選択し、前記複数の助詞または助詞を含む言葉の中のいずれか一つの助詞または助詞を含む言葉を選択し、前記複数の動詞の中のいずれか一つの動詞を選択し、
前記選択された名詞と、助詞または助詞を含む言葉と、動詞とに基づいて所望の機能を実行するメニュー項目を検索することを特徴とするメニュー項目の検索方法。
【発明の詳細な説明】
【技術分野】
【０００１】
本発明は、階層構造を有するメニュー項目を選択することによって操作することができる車載用情報端末、情報端末の操作方法およびそのメニュー項目の検索方法に関する。
【背景技術】
【０００２】
階層構造を有するメニュー項目を択一的に順次選択することによって、所望の機能を実行させるメニュー項目に到達することができるナビゲーション装置が従来技術として知られている（たとえば、特許文献１）。
【特許文献１】特開２００５−２０７９６６号公報
【発明の開示】
【発明が解決しようとする課題】
【０００３】
特許文献１のような従来のナビゲーション装置では、所望の機能を実行させるメニュー項目が深い階層に設けられているとき、上位の階層にあるメニュー項目を選択したときに表示される下位の階層にあるメニュー項目の言葉が、上位の階層にあるメニュー項目の言葉を見ただけでは想像しづらいことが多いために、深い階層にある所望の機能を実行させるメニュー項目に到達できなかったり、実行させるのに時間を要する。また、ユーザはナビゲーション装置がどのような機能を持つのか、上位階層のメニュー項目を見ただけでは想像することが困難である。
【課題を解決するための手段】
【０００４】
（１）請求項１の発明は、階層構造を有するメニュー項目を選択することによって機能を動作させることができる車載用情報端末において、表示モニタに複数の名詞と、複数の助詞または助詞を含む言葉と、複数の動詞とを表示する語句表示制御手段と、複数の名詞の中のいずれか一つの名詞を選択し、複数の助詞または助詞を含む言葉の中のいずれか一つの助詞または助詞を含む言葉を選択し、複数の動詞の中のいずれか一つの動詞を選択する語句選択手段と、語句選択手段によって選択された名詞と、助詞または助詞を含む言葉と、動詞とに基づいてメニュー項目を検索する検索手段と、検索手段によって検索されたメニュー項目を表示モニタに表示する検索結果表示制御手段と、検索結果表示制御手段によって表示されたメニュー項目の中から選択されたメニュー項目に定義された処理を実行するメニュー項目処理制御手段とを備えることを特徴とする。
（２）請求項２の発明は、請求項１に記載の車載用情報端末において、語句表示制御手段は、複数の名詞と、複数の助詞または助詞を含む言葉と、複数の動詞とを同時に表示することを特徴とする。
（３）請求項３の発明は、請求項１または２に記載の車載用情報端末において、語句表示制御手段は、語句選択手段によって名詞が選択されると、選択された名詞とともに選択可能な助詞または助詞を含む言葉、および動詞と、選択された名詞とともに選択できない助詞または助詞を含む言葉、および動詞とを表示態様を変えて表示し、語句選択手段によって助詞または助詞を含む言葉が選択されると、選択された助詞または助詞を含む言葉とともに選択可能な名詞および動詞と、選択された助詞または助詞を含む言葉とともに選択できない名詞および動詞とを表示態様を変えて表示し、語句選択手段によって動詞が選択されると、選択された動詞とともに選択可能な名詞、および助詞または助詞を含む言葉と、選択された動詞とともに選択できない名詞、および助詞または助詞を含む言葉とを表示態様を変えて表示することを特徴とする。
（４）請求項４の発明は、請求項１乃至３のいずれか１項に記載の車載用情報端末において、複数の名詞は、「行き先」、「ルート」、「地図」および「交通情報」を含み、複数の助詞または助詞を含む言葉は、「の案内方法を」、「を」および「の表示方法を」を含み、複数の動詞は、「探す」、「登録する」、「変える」、「見る」、「消す」および「加える」を含むことを特徴とする。
（５）請求項５の発明は、請求項１乃至３のいずれか１項に記載の車載用情報端末において、複数の名詞は、「行き先」、「ルート」、「地図」および「交通情報」を含み、複数の助詞または助詞を含む言葉は、「を」、「に」、「で」、「の案内方法を」および「の表示方法を」を含み、複数の動詞は、「探す」、「登録する」、「変える」、「戻す」、「見る」、「消す」、「加える」および「戻る」を含むことを特徴とする。
（６）請求項６の発明の情報端末の操作方法は、名詞、助詞および動詞で構成される文章に応じた命令文により所定の動作を実行させるようにした情報端末の操作方法において、名詞を入力する名詞エリア、助詞を入力する助詞エリア、および動詞を入力する動詞エリアを一画面に表示し、各エリアには、複数の候補語をそれぞれ表示し、各エリアの複数の候補語の中からそれぞれ一つの候補を選択して構成された文書を判別し、判別した文章に応じて所定の動作を実行することを特徴とする。
（７）請求項７の発明のメニュー項目の検索方法は、複数の名詞と、複数の助詞または助詞を含む言葉と、複数の動詞とを表示し、複数の名詞の中のいずれか一つの名詞を選択し、複数の助詞または助詞を含む言葉の中のいずれか一つの助詞または助詞を含む言葉を選択し、複数の動詞の中のいずれか一つの動詞を選択し、選択された名詞と、助詞または助詞を含む言葉と、動詞とに基づいて所望の機能を実行するメニュー項目を検索することを特徴とする。
【発明の効果】
【０００５】
本発明によれば、表示モニタに表示された名詞と、助詞または助詞を含む言葉と、動詞とを選択することによって所望の機能を実行するメニュー項目を検索することができる。したがって、階層構造を有するメニュー項目において、深い階層に設けられたメニュー項目を容易に実行させることができる。
【発明を実施するための最良の形態】
【０００６】
図１は、本発明の実施形態によるナビゲーション装置１を示す。このナビゲーション装置１では、表示モニタ１６に表示された名詞エリアのボタン、助詞エリアのボタンおよび動詞エリアのボタンを選択することによって、メニュー項目を検索することができる。検索されたメニュー項目を押圧操作することによってナビゲーション装置１の所望の機能を実行させることができる。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、ＶＩＣＳ（道路交通情報システム）情報受信部１１１、通信装置１１２およびディスクドライブ１１３を有している。ディスクドライブ１１３には、地図データが記憶されたＤＶＤ−ＲＯＭ１１４が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。
【０００８】
現在地検出装置１４は車両の現在地を検出する装置である。現在地装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは、車両の進行方向を検出し、車速センサ１４ｂは、車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはＤＶＤ−ＲＯＭ１１４に記憶された地図データに基づいて、適宜生成される。ナビゲーション装置１は、このようにして生成された画像データを用いることによって地図表示などを行うことができる。
【００１０】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１４以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。また、様々な処理が定義されたメニュー項目をリストとして表示する。スピーカ１７は、各種入力操作をユーザに指示したり、経路誘導したりするための音声を出力する。入力装置１８は、ユーザが各種コマンドを設定するための入力スイッチを有し、操作パネルやリモコンなどによって実現される。ユーザは、表示モニタ１６の表示画面の指示やスピーカ１７からの音声指示にしたがって入力装置１８を手動で操作することにより、目的地を設定する。
【００１２】
タッチパネル１９は、表示モニタ１６の表面に積層される透明のタッチスイッチであり、表示モニタ１６に表示される画像はタッチパネル１９を通して表示される。タッチパネル１９は、タッチパネル１９上の操作位置に応じた信号をタッチパネルコントロール部１１０に送出する。タッチパネルコントロール部１１０はその信号に基づいてタッチパネル１９の押圧位置を算出する。
【００１３】
表示モニタ１６の表示画面を押圧するとタッチパネル１９が押圧される。そして、地図画面や各種ボタン、メニュー項目などの表示位置でタッチパネル１９が押圧されると、以下の処理が行われる。すなわち、押圧された位置が目的地として設定されたり、押圧された位置に表示されている各種ボタンやメニュー項目に定義された処理が実行されたりする。
【００１４】
目的地がユーザにより設定されると、ナビゲーション装置１はＧＰＳセンサ１４ｃにより検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１５】
ＶＩＣＳ情報受信部１１１は、図示しないＶＩＣＳ情報センタから供給される渋滞情報などのＶＩＣＳ情報を受信し、制御回路１１に出力する。このＶＩＣＳ情報は主に高速道路上に設置されている電波ビーコンや主に一般道路上に設置されている光ビーコン、またはＦＭ多重放送によって送信される。電波ビーコンや光ビーコンは設置地付近を通過する車両に対してＶＩＣＳ情報を送信し、ＦＭ多重放送はそれらよりも広域の通信エリアをカバーする。ナビゲーション装置１は、これらによって送信されたＶＩＣＳ情報をＶＩＣＳ情報受信部１１１により受信する。
【００１６】
通信装置１１２は、携帯端末の無線手段を利用してデータ通信を行うことができる。通信装置１１２はネットワークを介して不図示の情報センタと接続し、情報センタから交通情報を取得することができる。
【００１７】
次に、本発明の実施形態におけるメニュー項目の検索操作について図２および図３を参照して説明する。本発明の実施形態では、表示画面に表示された語句を選択することによって、ユーザがナビゲーション装置１に実行させたい機能に関する文章を完成させる。そして、その文章より所望の機能を有するメニュー項目を検索することができる。
【００１８】
図２は、メニュー項目検索画面を説明するための図である。所定のメニューからメニュー項目検索画面表示の項目を選択すると、メニュー項目検索画面が表示される。メニュー項目検索画面２０には、文章表示エリア２１、名詞エリア２２、助詞エリア２３、動詞エリア２４および単独機能選択エリア２５が含まれる。
【００１９】
文章表示エリア２１には、文章表示欄２１ａ、候補ボタン２１ｂおよび修正ボタン２１ｃが表示される。文章表示欄２１ａには、名詞エリア２２、助詞エリア２３および動詞エリア２４に表示されているボタンを操作して入力された言葉が表示される。候補ボタン２１ｂは、後述する文章を完成する前に入力された言葉で検索を実行し、検索結果を表示するためのボタンである。修正ボタン２１ｃは、直前に押圧したボタンによる入力を取消し、ボタンの押圧をやり直すためのボタンである。ボタンによる入力の取消しは、押圧したボタンをもう一度押すことによっても可能である。候補ボタン２１ｂの左側に表示されている「該当ｘｘ件」は、検索された件数「ｘｘ」を表示する。
【００２０】
名詞エリア２２には、「行き先」ボタン２２ａ、「ルート」ボタン２２ｂ、「地図」ボタン２２ｃおよび「交通情報」ボタン２２ｄが表示される。これらのボタン２２ａ〜２２ｄは、検索するために作成する文章の名詞を入力するためのボタンである。「行き先」ボタン２２ａを押圧すると「行き先」という言葉が入力され、「ルート」ボタン２２ｂを押圧すると「ルート」という言葉が入力され、文章表示欄２１ａに表示される。また、「地図」ボタン２２ｃを押圧すると「地図」という言葉が入力され、「交通情報」ボタン２２ｄを押圧すると「交通情報」という言葉が入力され、文字表示欄２１ａに表示される。
【００２１】
助詞エリア２３には、「の案内方法を」ボタン２３ａ、「を」ボタン２３ｂおよび「の表示方法を」ボタン２３ｃが表示される。これらのボタン２３ａ〜２３ｃは、検索するために作成する文章の助詞または助詞を含む言葉を入力するためのボタンである。「の案内方法を」ボタン２３ａを押圧すると「の案内方法を」という助詞を含んだ言葉が入力され、「を」ボタン２３ｂを押圧すると「を」という助詞が入力され、文章表示欄２１ａに表示される。また、「の表示方法を」ボタン２３ｃを押圧すると「の表示方法を」という助詞を含んだ言葉が入力され、文字表示欄２１ａに表示される。
【００２２】
ここで、「の案内方法を」ボタン２３ａを押圧した場合、名詞エリア２１のボタン２１ａ〜２１ｄの言葉は、「案内方法」を修飾する言葉として機能する。「を」ボタン２３ｂを押圧した場合、名詞エリア２１のボタン２１ａ〜２１ｄの言葉は、後述する動詞エリアのボタンの言葉の目的語として機能する。「の表示方法を」ボタン２３ｃを押圧した場合、名詞エリア２１のボタン２１ａ〜２１ｄの言葉は、「表示方法」を修飾する言葉として機能する。
【００２３】
動詞エリア２４には、「探す」２４ａ、「登録する」ボタン２４ｂ、「変える」ボタン２４ｃ、「見る」ボタン２４ｄ、「消す」ボタン２４ｅおよび「加える」ボタン２４ｆが表示される。これらのボタン２４ａ〜２４ｆは、検索するために作成する文章の動詞、つまり述語を入力するためのボタンである。「探す」２４ａを押圧すると「探す」という言葉が入力され、「登録する」ボタン２４ｂを押圧すると「登録する」という言葉が入力され、文字表示欄２１ａに表示される。また、「変える」ボタン２４ｃを押圧すると、「変える」という言葉が入力され、「見る」ボタン２４ｄを押圧すると「見る」という言葉が入力され、文字表示欄２１ａに表示される。さらに、「消す」ボタン２４ｅを押圧すると「消す」という言葉が入力され、「加える」ボタン２４ｆを押圧すると「加える」という言葉が入力され、文字表示欄２１ａに入力される。
【００２４】
単独機能選択エリア２５には、言葉の組み合わせが一通りしかない機能に関するボタン２５ａ〜２５ｃが配置される。
【００２５】
ユーザが、所望の機能を実行するメニュー項目を検索するためには、以下に示す操作を行う。ユーザは、交通情報を表示させるメニュー項目を表示したいものとして説明する。
【００２６】
図３（ａ）のように、名詞エリア２２に表示されているボタン２２ａ〜２２ｄの中から「交通情報」ボタン２２ｄを選択して押圧する。これにより、「交通情報」ボタン２２ａ以外の名詞エリア２２に表示されているボタン２２ａ〜２２ｃの文字と背景のコントラストが変化する。また、「交通情報」ボタン２２ｄから選択できない助詞エリア２３および動詞エリア２４のボタン２３ａ，２４ａ，２４ｂ，２４ｅ，２４ｆの文字と背景のコントラストが変化する。
【００２７】
次に、図３（ｂ）のように、助詞エリア２３に表示されているボタン２３ａ〜２３ｃの中から「を」ボタン２３ｂを選択して押圧する。これにより、「の表示方法を」ボタン２３ｃの文字と背景のコントラストが変化するとともに、「交通情報」ボタン２２ｄおよび「を」ボタン２３ｂを選択した場合、選択できない助詞エリア２３のボタン２４ｃの文字と背景のコントラストが変化する。
【００２８】
最後に、助詞エリア２４に表示されている「見る」ボタン２４ｄを押圧することにより、ナビゲーション装置１に実行させたい機能に関する文章が完成する。文章を完成させると、図３（ｃ）のように、完成させた文章に関するメニュー項目、つまり、交通情報を表示させるメニュー項目の候補項目３１ａ〜３１ｅが検索結果表示画面３０にリストとして表示される。ユーザは、候補項目３１ａ〜３１ｅを押圧することによって、所望のメニュー項目の機能を動作させることができる。
【００２９】
検索結果表示画面３０には、リストスクロールボタン３２ａ，３２ｂおよび関連ボタン３３ａ〜３３ｃが表示される。リストスクロールボタン３２ａ，３２ｂは、候補項目３１ａ〜３１ｅのリストをスクロールさせるためのボタンである。関連ボタン３２ａ〜３３ｃは、候補項目３１ａ〜３１ｅに関連する項目のボタンである。ここで、交通情報を見るついでに、ＶＩＣＳ緊急情報を見たり、ＶＩＣＳ表示設定を行ったりする可能性があるので表示させた。
【００３０】
次にメニュー項目の検索について説明する。本発明の実施形態では、名詞エリア２２のボタン２２ａ〜２２ｄと、助詞エリア２３のボタン２３ａ〜２３ｃと、動詞エリア２４のボタン２４ａ〜２４ｆとの組み合わせが予め定められている。そして、その組み合わせによって、どのようなメニュー項目を検索するかについても予め定められている。これらの情報は検索データとしてＲＯＭ１２に記憶されている。
【００３１】
たとえば、「交通情報」ボタン２２ｄを例にあげ、図４および図５を参照して説明する。図４は、メニュー項目の検索データ４１を説明するための図である。項目メニューの検索データ４１は、「交通情報」について、「を」および「見る」の組み合わせと、「の表示方法を」および「変える」の組み合わせとを有する。しかし、そのほかの組み合わせは有しない。「交通情報」ボタン２２ｄが押圧されると、組み合わせに関係のないボタン２３ａ，２４ａ，２４ｂ，２４ｅ，２４ｆの文字と背景のコントラストが変化する。さらに、「を」ボタン２３ｂが押圧されると、「交通情報」および「を」の組み合わせに関係のない「変える」ボタン２４ｃの文字と背景のコントラストも変化する。図４のように、メニュー項目の検索データ４１には、「交通情報」、「を」および「見る」が選択されると表示する候補項目３１ａ〜３１ｅが予め定められている。したがって、最後に「見る」ボタン２４ｄが押圧されると、メニュー項目の検索データ４１に基づいて候補項目３１ａ〜３１ｅが表示される。同様に、関連ボタン３３ａ〜３３ｃについても、図５の関連ボタンの検索データ４２に基づいて関連ボタン３３ａ〜３３ｂが表示される。
【００３２】
以上の本発明の実施の形態によるナビゲーション装置１は次のような作用効果を奏する。
（１）メニュー項目検索画面２０に表示された名詞エリア２２のボタン２２ａ〜２２ｃ、助詞エリア２３のボタン２３ａ〜２３ｃおよび動詞エリア２４のボタン２４ａ〜２４ｆを選択する。これにより、名詞、助詞または助詞を含む言葉および動詞の組み合わせによって所望の機能を実行するメニュー項目を検索することができる。したがって、階層構造を有するメニュー項目において、深い階層に設けられたメニュー項目を容易に実行させることができる。
【００３３】
名詞、助詞または助詞を含む言葉および動詞を組み合わせることによって、ナビゲーション装置１の有するほとんどのメニュー項目が検索可能となる。したがって、この検索を利用することによって、ナビゲーション装置１の有するほとんど全ての機能を動作させることができ、利便性が向上する。また、上位の階層にあるメニュー項目を選択したときに表示される下位の階層にあるメニュー項目の言葉が、上位の階層にあるメニュー項目の言葉を見ただけでは想像しづらいために、深い階層に設定されていたために気が付かなかった便利な機能のメニュー項目も動作させることができる。
【００３４】
名詞エリア２２のボタン２２ａ〜２２ｃ、助詞エリア２３のボタン２３ａ〜２３ｃおよび動詞エリア２４のボタン２４ａ〜２４ｆを選択することによって検索にできるので、検索にどのような言葉を使用したらよいか悩む必要がない。
【００３５】
（２）同時に表示された名詞と、助詞または助詞を含む言葉と、動詞とを見ることによって、ユーザは深い階層を探ることなくナビゲーションシステムがどのような機能を持つのかを容易に想像することが可能となる。
【００３６】
（３）名詞エリア２２のボタン２２ａ〜２２ｃが押圧されると、選択できない助詞エリア２３のボタン２３ａ〜２３ｃおよび動詞エリア２４のボタン２４ａ〜２４ｆの文字と背景のコントラストが変化し、それらのボタンは押圧することができなくなる。したがって、日本語として成立しない文章を作成して、検索不能となるのを防止することができる。また、ナビゲーション装置１の有する機能の中で、押圧されたボタンに関する機能を把握することができ、利便性が向上する。たとえば図３（ａ）の場合、表示画面を見て、ナビゲーション装置１は交通情報を見る機能と交通情報の表示方法を変える機能とを有することを把握することができる。
【００３７】
（４）一画面に名詞エリア２２のボタン２２ａ〜２２ｃ、助詞エリア２３のボタン２３ａ〜２３ｃ、動詞エリア２４のボタン２４ａ〜２４ｆおよび単独機能選択エリア２５のボタン２５ａ〜２５ｃが表示されるので、ナビゲーション装置１の有する全ての機能をユーザは一度に把握することができ、利便性が向上する。  
【００３８】
（５）名詞エリア２２のボタン２２ａ〜２２ｃの名詞に「行き先」、「ルート」、「地図」および「交通情報」を含むようにし、助詞エリア２３のボタン２３ａ〜２３ｃの助詞または助詞を含む言葉に「の案内方法を」、「を」、および「の表示方法を」を含むようにし、動詞エリア２４のボタン２４ａ〜２４ｆの動詞に、「探す」、「登録する」、「変える」、「見る」、「消す」および「加える」を含むようにした。したがって、これらの名詞、助詞または助詞を含む言葉および動詞を組み合わせることよってナビゲーション装置１の有するほとんどのメニュー項目が検索可能となる。
【００３９】
以上の実施の形態を次のように変形することができる。
（１）メニュー項目検索画面２０に表示される名詞エリア２２のボタン２２ａ〜２２ｃ、助詞エリア２３のボタン２３ａ〜２３ｃおよび動詞エリア２４のボタン２４ａ〜２４ｆは、実施形態に限定されない。たとえば、名詞エリア２２のボタン２２ａ〜２２ｃで、「行き先」ボタン２２ａの代わりに「目的地」ボタンを設けてもよい。「ルート」ボタン２２ｂの代りに、「道順」ボタンや「経路」ボタン、「行き方」ボタンを設けてもよい。「地図」ボタン２２ｃの代わりに「マップ」ボタンを設けてもよい。助詞エリア２３のボタン２３ａ〜２３ｃで、「の案内方法を」ボタン２３ａの代わりに「のガイド方法を」ボタンを設けてもよい。動詞エリア２４のボタン２４ａ〜２４ｆで、「変える」ボタン２４ｃの代わりに「変更する」ボタンを、「見る」ボタン２４ｄの代わりに「確認する」ボタンを、「加える」ボタン２４ｆの代わりに「足す」ボタンを設けてもよい。また、図６に示すように、助詞エリア２３のボタンに、「に」ボタン２３ｄおよび「で」ボタン２３ｅを加えてもよい。さらに、図６に示すように、動詞エリア２３のボタンに、「戻す」ボタン２４ｇおよび「戻る」ボタン２４ｈを加えてもよい。このように、ボタンを変更したり、増やしたりすることによって、より的確に検索することができ、候補項目を絞り込むことができる。
【００４０】
たとえば、地図をスクロールして目的地を探したいユーザは、図７のように、「地図で探す」という文章で検索することができる。一方、図２のメニュー項目検索画面２０では、「地図を見る」という文章で検索しなければならない。したがって、ユーザの目的に沿った的確な文章で検索することができる。
【００４１】
さらに、図８のように、名詞エリア２２の言葉を修飾する修飾エリア２６を設けたり、ボタンの数を増やしたりしてもよい。
【００４２】
（２）メニュー項目検索画面２０に表示されるボタンを２度押しすることによって、ボタンが変わるようにしてもよい。たとえば、図９（ａ）のように、「を」ボタン２３ｂを押圧すると、文字表示欄２１ａに「を」が表示される。もう一度「を」ボタン２３ｂを押圧すると、図９（ｂ）のように、「を」ボタン２３ｂは「に」ボタン２３ｄに変わり、文字表示欄２１ａに表示される文字も「を」から「に」に変わる。それにともない、動詞も変化するようにしてもよい。たとえば、図９のように、「を」ボタン２３ｂが「に」ボタン２３ｄに変わると、「探す」ボタン２４ａが「する」ボタン２４ｇに、「見る」ボタン２４ｄが「戻る」ボタン２４ｈに変わる。このようにすることによって、メニュー項目検索画面２０に表示するボタン数を多くすることなく、表示するボタンの種類を増やすことができる。
【００４３】
（３）最初に名詞エリアのボタンを押圧し、次に助詞エリアのボタンを押圧し、最後に動詞エリアのボタンを押圧した。しかし、押圧するボタンの順序は、実施形態に限定されない。たとえば、図１０（ａ）のように、最初に助詞エリア２３のボタン２３ｄを押圧してもよい。この場合、メニュー項目の検索データ４１において、「に」ボタン２３ｄとの組み合わせが存在しないボタン２２ｄ、２４ａ，２４ｃ〜２４ｅ，２４ｇの文字と背景のコントラストが変化する。また、図１０（ｂ）のように、最初に動詞エリア２４のボタン２４ａを押圧してもよい。この場合、メニュー項目の検索データ４１において、「探す」ボタン２４ａとの組み合わせが存在しないボタン２２ｄ、２３ａ，２３ｃ，２３ｄの文字と背景のコントラストが変化する。
【００４４】
（４）名詞エリア２２のボタン２２ａ〜２２ｃ、助詞エリア２３のボタン２３ａ〜２３ｃ、動詞エリア２４のボタン２４ａ〜２４ｆが押圧されると、押圧されたボタンと組み合わせることのできないボタンの文字と背景のコントラストを変化させた。しかし、組み合わせることのできないボタンを認識できる表示態様であれば、実施形態に限定されない。また、組み合わせることのできるボタンの表示色を変えるなど、組み合わせることのできるボタンの表示態様を変えることによって、組み合わせることのできるボタンおよび組み合わせることのできないボタンを認識できるようにしてもよい。
【００４５】
（５）名詞エリア２２のボタン２２ａ〜２２ｃおよび助詞エリア２３のボタン２３ａ〜２３ｃを押圧した結果、組み合わせることのできる動詞エリア２４のボタン２４ａ〜２４ｆが一つしかない場合がある。このような場合、組み合わせることのできるボタンの言葉を文字表示欄２１ａに薄く表示するようにしてもよい。選択することのできるボタンが一つしかないことを容易に認識することができ、利便性が向上する。
【００４６】
（６）メニュー項目検索画面２０に表示されるボタンの言語は日本語に限定されない。たとえば、図１１に示すように、英語でもよい。日本語の場合、図２のように左から名詞エリア２２、助詞エリア２３、動詞エリア２４の順序で表示される。しかし、英語の場合は、図１１のように、言語の語順に合わせて、左から動詞エリア２４、前置詞エリア２７（助詞エリア２３の代替）、名詞エリア２２の順序で表示される。
【００４７】
（７）名詞エリア２２のボタン２２ａ〜２２ｃ、助詞エリア２３のボタン２３ａ〜２３ｃ、動詞エリア２４のボタン２４ａ〜２４ｆを音声入力によって選択できるようにしてもよい。たとえば、ナビゲーション装置１の「名詞を選んでください」という音声に対して、「交通情報」と回答し、「助詞または助詞を含んだ言葉を選んでください」という音声に対し、「を」と回答する。そして、「動詞を選んでください」という音声に対し、「見る」と回答する。そうすると、図３（ｃ）の検索結果が表示されるようにしてもよい。
【００４８】
以上の説明はあくまで一例であり、発明は、上記の実施形態に何ら限定されるものではない。
【００４９】
特許請求の範囲の要素と実施の形態との対応関係を説明する。
本発明の語句表示制御手段は制御回路１１に対応し、語句選択手段は制御回路１１、タッチパネル１９とタッチパネルコントロール部１１０に対応する。検索手段、検索結果表示制御手段およびメニュー項目処理制御手段は制御回路１１に対応する。なお、以上の説明はあくまで一例であり、発明を解釈する上で、上記の実施形態の構成要素と本発明の構成要素の対応関係になんら限定されるものではない。
【図面の簡単な説明】
【００５０】
【図１】本発明の一実施形態によるナビゲーション装置の構成を示すブロック図である。
【図２】メニュー項目検索画面を説明するための図である。
【図３】交通情報を表示したメニュー項目を検索するための操作を説明するための図である。
【図４】メニュー項目の検索データを説明するための図である。
【図５】関連ボタンの検索データを説明するための図である。
【図６】メニュー項目検索画面の他の実施形態を説明するための図である。
【図７】他の実施形態のメニュー項目検索画面による検索を説明するための図である。
【図８】メニュー項目検索画面の他の実施形態を説明するための図である。
【図９】２度押しによるボタンの変更を説明するための図である。
【図１０】最初に助詞エリアまたは動詞エリアのボタンを押圧したときのメニュー検索画面を説明するための図である。
【図１１】英語で表示されたメニュー項目検索画面を説明するための図である。
【符号の説明】
【００５１】
１  ナビゲーション装置
１１  制御回路
１２  ＲＯＭ
１６  表示モニタ
１８  入力装置
１９  タッチパネル
１１０  タッチパネルコントロール部
１１１  ＶＩＣＳ情報受信部
１１２  通信装置
１１３  ディスクドライブ
１１４  ＤＶＤ−ＲＯＭ
【図１】
2008046758.tif 000003
【図２】
2008046758.tif 000004
【図３】
2008046758.tif 000005
【図４】
2008046758.tif 000006
【図５】
2008046758.tif 000007
【図６】
2008046758.tif 000008
【図７】
2008046758.tif 000009
【図８】
2008046758.tif 000010
【図９】
2008046758.tif 000011
【図１０】
2008046758.tif 000012
【図１１】
2008046758.tif 000013